【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
通信システム内のモデムの近くの接続を検査するための方法であって、
２つ以上の別々の周波数帯について回線からテスト信号データを受信することと、
前記別々の周波数帯のうちの第１および第２の周波数帯に対応する時間領域データの少なくとも第１および第２の異なるセットに前記テスト信号データを別々に変換することと、
前記モデムの近くの不適切な接続を識別するために前記第１および第２の時間領域データを解析することとを含む方法。
【請求項２】
前記テスト信号データが周波数領域Ｓ１１データを含む請求項１に記載の方法。
【請求項３】
解析することが、前記モデムに連結された回線内のショートループ状態を決定することを含む請求項１に記載の方法。
【請求項４】
解析することが、時間領域データの前記第１および第２の異なるセットの一方または両方の中のピークを識別することを含む請求項１に記載の方法。
【請求項５】
解析することが、識別されたピークをしきい値と比較することと、前記しきい値を超える識別されたピークを真正なピークとして宣言することとをさらに含む請求項４に記載の方法。
【請求項６】
前記別々の周波数帯のうちの前記第１の周波数帯が、前記別々の周波数帯のうちの前記第２の周波数帯よりも周波数が高く、時間領域データの前記第１のセット内の前記識別されたピークが、前記回線内のショートループ状態を決定するために使用される請求項４に記載の方法。
【請求項７】
前記ショートループ状態が、時間領域データの前記第１のセット内の前記識別されたピークを使用して決定される場合、時間領域データの前記第２のセット内の前記識別されたピークが、ショートループ状態を宣言するために使用される請求項６に記載の方法。
【請求項８】
前記識別されたピークが、最小しきい値と最大しきい値の一方または両方と比較される請求項７に記載の方法。
【請求項９】
前記比較を実施する前に、前記識別されたピークのレベルをマージンだけ調節することをさらに含む請求項８に記載の方法。
【請求項１０】
前記モデム内のタイミングシフトに対して保護することをさらに含む請求項１に記載の方法。
【請求項１１】
保護することが、前記テスト信号データを受信する前に実施される事前調整ステップで実施される請求項１０に記載の方法。
【請求項１２】
前記モデムがＣＰＥモデムであり、前記第１および第２の別々の周波数帯が、ｘＤＳＬシステム周波数帯プラン内の別々の第１および第２のアップストリームバンドである請求項１に記載の方法。
【請求項１３】
前記テスト信号データが、前記第１および第２のアップストリームバンドのみ内のトーンを使用して構築されたシンボルに関連付けられる請求項１２に記載の方法。
【請求項１４】
通信システム内のモデムの近くの接続を検査するための装置であって、
２つ以上の別々の周波数帯について回線からテスト信号データを受信するキャプチャブロックと、
前記別々の周波数帯のうちの第１および第２の周波数帯に対応する時間領域データの少なくとも第１および第２の異なるセットに前記テスト信号データをそれぞれ変換する第１および第２のＩＦＦＴと、
前記モデムの近くの不適切な接続を識別するために前記第１および第２の時間領域データを解析するＴＤＲ解析エンジンとを備える装置。
【請求項１５】
前記別々の周波数帯のうちの前記第１の周波数帯が、前記別々の周波数帯のうちの前記第２の周波数帯よりも周波数が高く、時間領域データの前記第１のセット内の識別されたピークが、前記回線内のショートループ状態を決定するために使用される請求項１４に記載の装置。
【手続補正２】
【補正対象書類名】明細書
【補正対象項目名】００４１
【補正方法】変更
【補正の内容】
【００４１】
[0049]本発明が、その好ましい実施形態を参照しながら具体的に説明されたが、本発明の精神および範囲から逸脱することなく、形態および細部の変更および修正が行われ得ることは当業者にとって容易に明らかなはずである。添付の特許請求の範囲はそのような変更および修正を包含することが意図されている。
以下に、本願の出願当初の特許請求の範囲に記載された発明を付記する。
［Ｃ１］
通信システム内のモデムの近くの接続を検査するための方法であって、
２つ以上の別々の周波数帯について回線からテスト信号データを受信することと、
前記別々の周波数帯のうちの第１および第２の周波数帯に対応する時間領域データの少なくとも第１および第２の異なるセットに前記テスト信号データを別々に変換することと、
前記モデムの近くの不適切な接続を識別するために前記第１および第２の時間領域データを解析することとを含む方法。
［Ｃ２］
前記テスト信号データが周波数領域Ｓ１１データを含むＣ１に記載の方法。
［Ｃ３］
解析することが、前記モデムに連結された回線内のショートループ状態を決定することを含むＣ１に記載の方法。
［Ｃ４］
解析することが、時間領域データの前記第１および第２の異なるセットの一方または両方の中のピークを識別することを含むＣ１に記載の方法。
［Ｃ５］
解析することが、識別されたピークをしきい値と比較することと、前記しきい値を超える識別されたピークを真正なピークとして宣言することとをさらに含むＣ４に記載の方法。
［Ｃ６］
前記別々の周波数帯のうちの前記第１の周波数帯が、前記別々の周波数帯のうちの前記第２の周波数帯よりも周波数が高く、時間領域データの前記第１のセット内の前記識別されたピークが、前記回線内のショートループ状態を決定するために使用されるＣ４に記載の方法。
［Ｃ７］
前記ショートループ状態が、時間領域データの前記第１のセット内の前記識別されたピークを使用して決定される場合、時間領域データの前記第２のセット内の前記識別されたピークが、ショートループ状態を宣言するために使用されるＣ６に記載の方法。
［Ｃ８］
前記識別されたピークが、最小しきい値と最大しきい値の一方または両方と比較されるＣ７に記載の方法。
［Ｃ９］
前記比較を実施する前に、前記識別されたピークのレベルをマージンだけ調節することをさらに含むＣ８に記載の方法。
［Ｃ１０］
前記モデム内のタイミングシフトに対して保護することをさらに含むＣ１に記載の方法。
［Ｃ１１］
保護することが、前記テスト信号データを受信する前に実施される事前調整ステップで実施されるＣ１０に記載の方法。
［Ｃ１２］
前記モデムがＣＰＥモデムであり、前記第１および第２の別々の周波数帯が、ｘＤＳＬシステム周波数帯プラン内の別々の第１および第２のアップストリームバンドであるＣ１に記載の方法。
［Ｃ１３］
前記テスト信号データが、前記第１および第２のアップストリームバンドのみ内のトーンを使用して構築されたシンボルに関連付けられるＣ１２に記載の方法。
［Ｃ１４］
通信システム内のモデムの近くの接続を検査するための装置であって、
２つ以上の別々の周波数帯について回線からテスト信号データを受信するキャプチャブロックと、
前記別々の周波数帯のうちの第１および第２の周波数帯に対応する時間領域データの少なくとも第１および第２の異なるセットに前記テスト信号データをそれぞれ変換する第１および第２のＩＦＦＴと、
前記モデムの近くの不適切な接続を識別するために前記第１および第２の時間領域データを解析するＴＤＲ解析エンジンとを備える装置。
［Ｃ１５］
前記テスト信号データが周波数領域Ｓ１１データを含むＣ１４に記載の装置。
［Ｃ１６］
前記別々の周波数帯のうちの前記第１の周波数帯が、前記別々の周波数帯のうちの前記第２の周波数帯よりも周波数が高く、時間領域データの前記第１のセット内の識別されたピークが、前記回線内のショートループ状態を決定するために使用されるＣ１４に記載の装置。
［Ｃ１７］
前記ショートループ状態が、時間領域データの前記第１のセット内の前記識別されたピークを使用して決定される場合、時間領域データの前記第２のセット内の前記識別されたピークが、ショートループ状態を宣言するために使用されるＣ１６に記載の装置。
［Ｃ１８］
前記識別されたピークが、最小しきい値と最大しきい値の一方または両方と比較されるＣ１７に記載の装置。
［Ｃ１９］
前記モデムがＣＰＥモデムであり、前記第１および第２の別々の周波数帯が、ｘＤＳＬシステム周波数帯プラン内の別々の第１および第２のアップストリームバンドであるＣ１４に記載の装置。